(57)【要約】【課題】  ＶＴＲ用リモートコントローラを用い、ＶＴＲで作成したコンテンツを光ディスクに容易に記録することができる記録装置を実現する。【解決手段】  ＶＴＲ用リモートコントローラ４からのコントロールコマンドに基づいてＩｍａｇｉｎａｒｙＭｏｄｅ生成部２４で仮想モードを生成し、ＩｍａｇｉｎａｒｙＴＴＣ生成部２８及びＩｍａｇｉｎａｒｙＡＴＮ生成部２９で仮想モードに対応する仮想タイムコード及び仮想トラックナンバーを生成する。ＶＴＲ用リモートコントローラ４からのキューアップコマンドに応答して仮想キューアップに係る動作モード、仮想タイムコード及び仮想トラックナンバーを出力し、仮想キューアップの動作後に、ＶＴＲ１から所定の映像音声信号を光ディスク記録装置に入力してコピー動作を行う。【選択図】      図２
2006351143.tif 000002
【特許請求の範囲】
【請求項１】
遠隔操作部から出力されるコントロールコマンド及びステータスセンスコマンドによってＶＴＲに記録されている映像音声信号を光ディスクに記録するレコーダと、前記コントロールコマンド及び前記ステータスセンスコマンドによって前記映像音声信号を前記レコーダに記録させる信号を生成する制御回路と、を有する記録装置において、
前記制御回路は、
前記コントロールコマンドを受信して解析するコントロールコマンド解析手段と、
前記コントロールコマンド解析手段における解析結果に基づいてキューアップモードを生成するモード手段と、
前記キューアップモードに対応する仮想タイムコードを生成するタイムコードジェネレータ手段と、
前記キューアップモードに対応する仮想トラックナンバーを生成するトラックナンバージェネレータ手段と、
前記ステータスセンスコマンドに応答してキューアップモード、前記仮想タイムコード及び前記仮想トラックナンバーを出力するステータスコマンド応答手段と、
を有することを特徴とする記録装置。
【発明の詳細な説明】
【技術分野】
【０００１】
本発明は、ＶＴＲと、そのＶＴＲを制御するリモートコントローラを用いながらＶＴＲで編集して得られたタイムコードで管理される映像や音声等のデータを、ＤＶＤ（Digital Versatile Disk）などのランダムアクセス可能な記録メディアに記録とする記録装置に関する。
【背景技術】
【０００２】
最近になり、映像や音声等のデータを記録した光ディスクを再生する動画対応の光ディスク記録再生装置が開発されている。この装置は、国際規格化されたＭＰＥＧ２（Moving Picture Experts Group Phase 2）符号化方式で符号化された映像信号を記録するとともに、ＡＣ−３方式で圧縮符号化されたオーディオ信号を記録するとして定められたＤＶＤ規格による記録を行う。その光ディスク記録再生装置により、映像ソフトを鑑賞したりカラオケ等を楽しんだりできる。
【０００３】
一方、テープメディアを用い、映像ソフトを記録するＶＴＲの記録方式は、従来のアナログ方式であるＶＨＳの他に、ディジタル方式で記録するＤＶも開発された。ＤＶはＤＶ端子を介してコンピュータとも接続が可能であり、接続されたコンピュータはＤＶを制御しながら映像音声信号をＶＴＲに転送するようにして、編集をしながらコピーすることが可能である。
【０００４】
ここで、ＶＴＲに記録された動画像の編集は、当初、２台のＶＴＲを相互に接続し、一方から他方へのコピー繰り返しながら行う、いわゆるリニア編集が主流であった。近年になり、ＶＴＲに記録された動画像を、ハードディスクを搭載するパーソナルコンピュータ（以下ＰＣと記すこともある）にコピーし、ＰＣにコピーされた動画像を編集するノンリニア編集が普及してきている。ユーザはノンリニア編集機（ＰＣ）のコントローラを用いて編集作業を行う。コントローラから入力された編集指示に従ってハードディスクに記録された動画像、音声データの編集が実行される。
【０００５】
編集を終えた映像音声データはＶＴＲ側へ書き戻すことができる。ユーザがコントローラを用いて書き戻し開始点及び終了点を入力する。ＣＰＵはそのタイムコードを基にＶＴＲの再生を開始させ、開始点のタイムコードにきたら書き戻しを開始する。ハードディスクに記録された編集済みの映像音声信号がＶＴＲに出力される。ＣＰＵは終了点のタイムコードにきたら書き戻しを終了させる。ノンリニア編集機はＶＴＲと接続して、ビデオテープに記録されている素材を取り込んだり、編集を終えた映像や音声などのディジタルデータをＶＴＲ側へ書き戻したりすることができる。
【０００６】
特許文献１には、読出し（又は書き戻し）操作を短時間で行うことのできる光ディスクを用いたビデオ情報等の動画像の読出し（書き戻し）を行える光学的情報記録再生装置が開示されている。その光学的情報記録再生装置は、画像読出しの際に、光ディスクの情報トラックにつけられたトラック番地と画像につけられたタイムコードの表現である番地とを相互に変換可能としつつ光ディスクに記録して再生する。タイムコードに基づいて読出し操作ができるようにし、光ディスク装置でありながら編集者は操作が行いやすく、且つランダムアクセス等が可能であり、画像の番地が不連続になった場合であって高速検索や再生を行えるようにした光学的情報記録再生装置を実現している。
【特許文献１】特開平５−３６２５０号公報
【発明の開示】
【発明が解決しようとする課題】
【０００７】
しかしながら、特許文献１に記載される光学的情報記録再生装置の場合では、ＶＴＲとその光学的情報記録再生装置を結合しＶＴＲで編集された動画像を読出して光学的情報記録再生装置に送り出し、光ディスクの所定の記録領域に記録するためにはＶＴＲを制御する制御手段と、光学的情報記録再生装置を制御する制御手段の両者を必要とする。異なる２つの制御手段を操作しつつ所定の動画像を読出して光ディスクの所定の記録領域にコピーするのは煩雑である。
【０００８】
ところで、ＶＴＲを２台接続し、それらのＶＴＲを１個のリモートコントローラを操作して一方のＶＴＲに記録された所定の動画像を他方のＶＴＲの所定の箇所にコピーしたり、ＶＴＲの所定の箇所に記録された動画像を他方のＶＴＲの所定の箇所にコピーしたりすることが出来る。そこで、ＶＴＲと光ディスク用記録装置とを接続し、ＶＴＲ用のリモートコントローラを用いてＶＴＲに記録された所定の動画像を記録装置に格納される光ディスクの所定の領域にコピーするようにして、容易に高品質の光ディスクを作成することが可能になる。
【０００９】
しかし、ＶＴＲ用リモートコントローラは光ディスク用記録装置を接続したり制御したりすることを想定していない。よって、ＶＴＲ用リモートコントローラで光ディスク用記録装置の制御に対応することは不可能であるのが実情である。
【００１０】
ここで、仮に、ＶＴＲと光ディスク記録装置とを接続したとしてもＶＴＲ用リモートコントローラを用いて光ディスク記録装置を操作できない。その理由は次による。
（１）光ディスク（ＤＶＤ等）はランダムアクセスデバイスであり、ＶＴＲは順次アクセスデバイスである。
（２）光ディスク（ＤＶＤ等）にはタイムコードやトラックナンバーという概念がない。
（３）ＶＴＲ用リモートコントローラはＲＳ２３２ＣやＲＳ４２２などを介して返信されるタイムコードを認識し、それらの認識情報を基にしてＩＮ点（記録開始点）検索を行うようにしている。光ディスクのアドレスを管理する概念はない。
即ち、ＲＳ４２２やＲＳ２３２ｃで規定される信号を用いて制御を行うコントローラはタイムコードを使用してＶＴＲ制御を行い、またＩＥＥＥ（Institute of Electrical and Electronics Engineers）１３９４で規定される制御信号を用いるコントローラはタイムコードや絶対トラックナンバーを用いてＶＴＲ制御を行う。それらに比し、ＤＶＤの場合ではタイムコードやトラックナンバーを使用してディスクの書き込み読み出し制御に係る概念が無い。
【００１１】
以上の理由から、ＶＴＲやＤＶ制御用に設計されたリモートコントローラを用いて光ディスク記録装置を操作し、光ディスクに記録することはできない。従って、例えばＶＴＲに記録されており光ディスクにコピーすべき映像や音声等のデータがある場合に、ＶＴＲと光ディスク記録装置を接続し、ＶＴＲ制御用リモートコントローラを用いて映像や音声などのディジタルデータ（以下コンテンツと記述することがある）をＤＶＤなどの光ディスクに容易に記録することができる光ディスク記録装置を開発したいという要望が生じていた。
【００１２】
そこで、本発明は、上記のような問題点を解消するためになされたもので、ＶＴＲの制御機能を有するＶＴＲ用リモートコントローラからの制御により、簡単な操作で安定動作、高速処理、高品質な仕上がりで、ＶＴＲに記録されるコンテンツを容易に光ディスクに記録することができる記録装置を提供することを目的とする。
【課題を解決するための手段】
【００１３】
本願発明における第１の発明は、遠隔操作部から出力されるコントロールコマンド及びステータスセンスコマンドによってＶＴＲに記録されている映像音声信号を光ディスクに記録するレコーダと、前記コントロールコマンド及び前記ステータスセンスコマンドによって前記映像音声信号を前記レコーダに記録させる信号を生成する制御回路と、を有する記録装置において、前記制御回路は、前記コントロールコマンドを受信して解析するコントロールコマンド解析手段と、前記コントロールコマンド解析手段における解析結果に基づいてキューアップモードを生成するモード手段と、前記キューアップモードに対応する仮想タイムコードを生成するタイムコードジェネレータ手段と、前記キューアップモードに対応する仮想トラックナンバーを生成するトラックナンバージェネレータ手段と、前記ステータスセンスコマンドに応答してキューアップモード、前記仮想タイムコード及び前記仮想トラックナンバーを出力するステータスコマンド応答手段と、を有することを特徴とする記録装置を提供する。
【発明の効果】
【００１４】
本発明によれば、制御回路は、コントロールコマンドを受信して解析するコントロールコマンド解析手段と、前記コントロールコマンド解析手段における解析結果に基づいてキューアップモードを生成するモード手段と、前記キューアップモードに対応する仮想タイムコードを生成するタイムコードジェネレータ手段と、前記キューアップモードに対応する仮想トラックナンバーを生成するトラックナンバージェネレータ手段と、ステータスセンスコマンドに応答してキューアップモード、前記仮想タイムコード及び前記仮想トラックナンバーを出力するステータスコマンド応答手段とを備えているので、ＶＴＲの制御機能を有するＶＴＲ用リモートコントローラからの制御により、簡単な操作で安定動作、高速処理、高品質な仕上がりで、ＶＴＲに記録されるコンテンツを容易に光ディスクに記録することができる記録装置を実現できる。
【発明を実施するための最良の形態】
【００１５】
以下に本発明の各実施例に係る記録装置について図１〜図８を用いて説明する。
図１は、本発明の実施に係る記録装置、ＶＴＲ及びリモートコントローラの接続図である。
図２は、本発明の実施に係る記録装置の要部の構成例を示すブロック図である。
図３は、ＲｅａｌＭｏｄｅ判別部の処理を示す図である。
図４は、ＩｍａｇｉｎａｒｙＴＴＣ（仮想タイムコード）生成部の処理を示す図である。
図５は、ＩｍａｇｉｎａｒｙＡＴＮ（仮想トラックナンバー）生成部の処理を示す図である。
図６は、ＶＴＲエミュレーションの動作を行うコマンドシーケンスの一例を示す図（その１）である。
図７は、ＶＴＲエミュレーションの動作を行うコマンドシーケンスの一例を示す図（その２）である。
図８は、ＶＴＲエミュレーションの動作を行うコマンドシーケンスの一例を示す図（その３）である。
【００１６】
その記録装置はＶＴＲの制御機能を有するＶＴＲ用リモートコントローラからの制御により、簡単な操作で安定動作、高速処理、高品質な仕上がりで、ＶＴＲに記録されるコンテンツを容易に光ディスクに記録することができる記録装置を実現するという目的を、コントロールコマンドを受信して解析するコントロールコマンド解析手段と、前記コントロールコマンド解析手段における解析結果に基づいてキューアップモードを生成するモード手段と、前記キューアップモードに対応する仮想タイムコードを生成するタイムコードジェネレータ手段と、前記キューアップモードに対応する仮想トラックナンバーを生成するトラックナンバージェネレータ手段と、ステータスセンスコマンドに応答してキューアップモード、前記仮想タイムコード及び前記仮想トラックナンバーを出力するステータスコマンド応答手段とを備える制御回路を用いて実現した。
【００１７】
記録装置の構成について述べる。
図１に示す記録装置２はＤＶＤレコーダ３５及び制御回路２１より構成される。ＤＶＤレコーダ３５とＶＴＲ１とはアナログＡＶケーブルにより、又はＩＥＥＥ１３９４シリアルバスで構成されるＤＶケーブルにより接続される。制御回路２１はＶＴＲ用リモートコントローラ４とＲＳ２３２Ｃ（Recommended Standard 232 version C）やＲＳ４２２（Recommended Standard 422）などのケーブルにより接続される。ＶＴＲ用リモートコントローラ４はＶＴＲ１とＲＳ２３２ＣやＲＳ４２２などのケーブルにより接続される。
図２に示す制御回路２１は、制御系処理部２２、コントロールコマンド解析部２３、ＩｍａｇｉｎａｒｙＭｏｄｅ生成部２４、ＲｅａｌＭｏｄｅ判別部２５、Ｓｔａｔｕｓコマンド応答部２６、ＭｏｄｅＳｔａｔｕｓ生成部２７、ＩｍａｇｉｎａｒｙＴＴＣ生成部２８、及びＩｍａｇｉｎａｒｙＡＴＮ生成部２９より構成される。
【００１８】
記録装置の動作について述べる。
以下、ＶＴＲ用リモートコントローラ４に記録装置２を接続し、ＶＴＲ用リモートコントローラ４から記録装置２を操作制御することをＶＴＲエミュレーションと称する。ＶＴＲエミュレーションについて述べる。
【００１９】
まず、ＶＴＲ用リモートコントローラ４を操作してＤＶＤレコーダ３５に記録すべき映像や音声などのディジタルデータ（以下コンテンツと称することがある。）の記録開始点及び記録終了点を指定する。記録開始点及び記録終了点の指定は送り出し側であるＤＶＤレコーダ３５に対する記録位置を制御回路２１内にある仮想ＶＴＲに記録するタイムコードの位置として指定する。次に、ＶＴＲ用リモートコントローラ４でコピー開始操作を行う。ＶＴＲ用リモートコントローラ４はインポイントとして指定される上記コンテンツの頭だしを行うと共に仮想ＶＴＲに対してキューアップ動作を行う。キューアップの仮想動作中、ＤＶＤレコーダ３５は特段の動作を行ってなく、停止状態である。仮想ＶＴＲは仮想キューアップ動作終了後、ＶＴＲ用リモートコントローラ４からのタイムコードセンスの発行に対して仮想タイムコードを返送する。
【００２０】
制御回路２１で仮想ＶＴＲの信号として生成された動作モード信号及びステータス信号はＶＴＲ用リモートコントローラ４に伝送される。制御回路２１からは、ＤＶＤレコーダ３５から出力される記録媒体のアドレス情報が後述のタイムコード情報に変換されたステータス信号であるとして出力される。ＶＴＲ用リモートコントローラ４は、記録装置２に、仮想ＶＴＲに所定のコンテンツをコピーさせるように動作する。指定されたコンテンツを記録後、ＤＶＤレコーダ３５のコピー動作を終了する。
【００２１】
図２を参照して制御回路２１について詳述する。
制御回路２１に入出力される制御用信号は、実際のＤＶ機器（ＶＴＲ）が接続された場合に入出力される信号と同一である。ＶＴＲ用リモートコントローラ４はＶＴＲ用の制御を行うことで、記録装置２をも制御することが可能になる。制御回路２１は、ＶＴＲ用リモートコントローラ４から受け取った記録装置用命令に従い、ＤＶＤレコーダ３５を制御する。
【００２２】
制御系処理部２２はＤＶ制御用命令を受信すると、まず光ディスク用コマンドシーケンスリストより、該当するコマンドシーケンスを選択する。いわゆるＶＴＲと記録装置２とは、機能的には似ているものの構造は大きく異なっており、単純に命令を返還するだけでは記録装置２の制御はできない。よってそのコマンドシーケンス内には、ＤＶ機器用命令に相当する光ディスク用命令の他に、その前後に必要な光ディスク独自の命令や、実行順序、タイミング等の情報も含まれている。
【００２３】
コントロールコマンド解析部２３は、制御系処理部２２を介してＶＴＲ用リモートコントローラ４からのＡＶ／Ｃコマンドの機器コントロールコマンド（ＰＬＡＹ、ＳＴＯＰ、ＲＥＣ等）を受信して解析し、解析結果をＩｍａｇｉｎａｒｙＭｏｄｅ生成部２４に出力する。また、コントロールコマンド解析部２３は、制御系処理部２２で選択されたコマンドシーケンスを基に、実行順序を管理する。
【００２４】
ＩｍａｇｉｎａｒｙＭｏｄｅ生成部２４は、コントロールコマンド解析部２３から入力された解析結果に基づいてＩｍａｇｉｎａｒｙＭｏｄｅを生成し、ＲｅａｌＭｏｄｅ判別部２５とＭｏｄｅＳｔａｔｕｓ生成部２７とＩｍａｇｉｎａｒｙＴＴＣ生成部２８とＩｍａｇｉｎａｒｙＡＴＮ生成部２９に出力する。ＩｍａｇｉｎａｒｙＭｏｄｅはＶＴＲエミュレーションを行う時にＡＶ／Ｃコマンドの機器コントロールコマンドから設定される仮想モードである。
【００２５】
ＲｅａｌＭｏｄｅ判別部２５は、ＩｍａｇｉｎａｒｙＭｏｄｅ生成部２４から入力されたＩｍａｇｉｎａｒｙＭｏｄｅが記録系コマンドか再生系コマンドかを判断し、記録系コマンドであればＤＶＤレコーダ３５に伝達する。図３に示すＲｅａｌＭｏｄｅ判別部２５の処理に従い、ＩｍａｇｉｎａｒｙＭｏｄｅがＲＥＣ（記録）、ＳＴＯＰ（停止）であればＲｅａｌＭｏｄｅはＩｍａｇｉｎａｒｙＭｏｄｅと同じとなり、ＲｅａｌＭｏｄｅ判別部２５はＲｅａｌＭｏｄｅをＤＶＤレコーダ３５に伝達する。ＩｍａｇｉｎａｒｙＭｏｄｅがＲＥＣ、ＳＴＯＰ以外であればＲｅａｌＭｏｄｅ判別部２５は何も出力しない。
【００２６】
ＭｏｄｅＳｔａｔｕｓ生成部２７は、ＩｍａｇｉｎａｒｙＭｏｄｅが記録系コマンドか、再生系コマンドかを判断し、記録系コマンドであればＤＶＤレコーダ３５のステータスを採用し、再生系コマンドであればＩｍａｇｉｎａｒｙＭｏｄｅをステータスとして採用してＳｔａｔｕｓコマンド応答部２６に出力する。
【００２７】
ＩｍａｇｉｎａｒｙＴＴＣ生成部２８は、ＩｍａｇｉｎａｒｙＭｏｄｅに合わせたＩｍａｇｉｎａｒｙＴＴＣを生成する。図４に示すＩｍａｇｉｎａｒｙＴＴＣ生成部２８の処理に従い、ＩｍａｇｉｎａｒｙＭｏｄｅがＲＥＣ（記録）、ＰＬＡＹ（再生）のときは１フレームに１回インクリメント処理、２倍速（×２）のときは１フレームに２回インクリメント処理、４倍速（×４）のときは１フレームに４回インクリメント処理、ＳＴＯＰ（停止）のときは無処理、のように処理を行う。生成したＩｍａｇｉｎａｒｙＴＴＣをＳｔａｔｕｓコマンド応答部２６に出力する。
【００２８】
ＩｍａｇｉｎａｒｙＡＴＮ生成部２９は、ＩｍａｇｉｎａｒｙＭｏｄｅに合わせたＩｍａｇｉｎａｒｙＡＴＮを生成する。図５に示したＩｍａｇｉｎａｒｙＡＴＮ生成部２９の処理に従い、ＩｍａｇｉｎａｒｙＭｏｄｅがＲＥＣ（記録）、ＰＬＡＹ（再生）のときは１フレームに１０回インクリメント処理、２倍速（×２）のときは１フレームに２０回インクリメント処理、４倍速（×４）のときは１フレームに４０回インクリメント処理、ＳＴＯＰ（停止）のときは無処理、のように処理を行う。生成したＩｍａｇｉｎａｒｙＡＴＮをＳｔａｔｕｓコマンド応答部２６に出力する。なお、上記のインクリメント処理回数は伝送するビデオ信号がＮＴＳＣ（National Television Standard Committee）方式の場合であり、ＰＡＬ（Phase Alternation by Line）方式の場合はそれぞれ１２回、２４回、４８回となる。
【００２９】
Ｓｔａｔｕｓコマンド応答部２６は、コントロールコマンド解析部２３がＶＴＲ用リモートコントローラ４からのステータスセンスコマンド（モード、ＴＴＣ、ＡＴＮセンス）を受信すると、それぞれに応答して、ＭｏｄｅＳｔａｔｕｓ生成部２７、ＩｍａｇｉｎａｒｙＴＴＣ生成部２８、ＩｍａｇｉｎａｒｙＡＴＮ生成部２９から入力されたＩｍａｇｉｎａｒｙＭｏｄｅ、ＩｍａｇｉｎａｒｙＴＴＣ、ＩｍａｇｉｎａｒｙＡＴＮを、制御系処理部２２を介してＶＴＲ用リモートコントローラ４に出力する。
【００３０】
次に、図６〜図８を参照して記録装置２でのＶＴＲエミュレーションについて説明する。図６〜図８はＶＴＲ用リモートコントローラ４に制御されて、編集を終了したＶＴＲに記録されるコンテンツを記録装置２にコピーする動作を行うコマンドシーケンスの一例を示す図である。このコマンドシーケンスは、例えばＶＴＲ用リモートコントローラ４に備えられた図示しないメモリに記憶されている。
【００３１】
まず、ステップＳ２０で、ＶＴＲ用リモートコントローラ４はＶＴＲ１から記録装置２のＤＶＤレコーダ３５に接続されたＤＶケーブルを介してコンテンツコピーの実行を開始するに際し、所定のコピー開始位置であるＩｎ点をサーチするためのキューアップを行う。即ち、ステップＳ３０では、ＶＴＲ用リモートコントローラ４の図示しないＣＰＵは記録装置２へ２０倍サーチコマンドを発行する。ステップＳ４０では、２０倍サーチコマンドが制御系処理部２２を介してコントロールコマンド解析部２３に入力されて解析され、ＩｍａｇｉｎａｒｙＭｏｄｅ生成部２４でＩｍａｇｉｎａｒｙＭｏｄｅが２０倍サーチと設定される。このＩｍａｇｉｎａｒｙＭｏｄｅがＩｍａｇｉｎａｒｙＭｏｄｅ生成部２４からＩｍａｇｉｎａｒｙＴＴＣ生成部２８、ＩｍａｇｉｎａｒｙＡＴＮ生成部２９に入力され、ＩｍａｇｉｎａｒｙＴＴＣとＩｍａｇｉｎａｒｙＡＴＮが２０フレーム飛ばしで歩進をする。
【００３２】
ステップＳ５０で、ＶＴＲ用リモートコントローラ４はステータスセンスを発行する。ステップＳ６０では、ＭｏｄｅＳｔａｔｕｓ生成部２７は、ＩｍａｇｉｎａｒｙＭｏｄｅが再生系コマンドであるためＩｍａｇｉｎａｒｙＭｏｄｅ（ここでは２０倍サーチ）をステータスとして採用し、Ｓｔａｔｕｓコマンド応答部２６はＩｍａｇｉｎａｒｙＭｏｄｅをＶＴＲ用リモートコントローラ４に出力する。ステップＳ７０では、ＶＴＲ用リモートコントローラ４はＩｍａｇｉｎａｒｙＭｏｄｅ（２０倍サーチ）をステータスとして受信し、記録装置２が２０倍サーチになったと認識する。
【００３３】
ステップＳ８０では、ＶＴＲ用リモートコントローラ４はタイムコードセンスを発行する。ステップＳ９０では、Ｓｔａｔｕｓコマンド応答部２６はＩｍａｇｉｎａｒｙＴＴＣ生成部２８からＩｍａｇｉｎａｒｙＴＴＣを受け、ＶＴＲ用リモートコントローラ４に出力する。ステップＳ１００では、ＶＴＲ用リモートコントローラ４は記録装置２がおおまかにＩＮ点に近づきつつあると認識する。ステップＳ１１０では、ＶＴＲ用リモートコントローラ４は再生（ＰＬＡＹ）コマンドを発行する。
【００３４】
ステップＳ１２０では、再生コマンドが制御系処理部２２を介してコントロールコマンド解析部２３に入力されて解析され、ＩｍａｇｉｎａｒｙＭｏｄｅ生成部２４でＩｍａｇｉｎａｒｙＭｏｄｅが再生と設定される。このＩｍａｇｉｎａｒｙＭｏｄｅがＩｍａｇｉｎａｒｙＭｏｄｅ生成部２４からＩｍａｇｉｎａｒｙＴＴＣ生成部２８、ＩｍａｇｉｎａｒｙＡＴＮ生成部２９に入力され、ＩｍａｇｉｎａｒｙＴＴＣとＩｍａｇｉｎａｒｙＡＴＮが２０フレーム飛ばしで歩進をする。
【００３５】
次に、ステップＳ１３０では、ＶＴＲ用リモートコントローラ４はステータスセンスを発行する。ステップＳ１４０では、ＭｏｄｅＳｔａｔｕｓ生成部２７は、（ここでは再生）をステータスとして採用し、Ｓｔａｔｕｓコマンド応答部２６はＩｍａｇｉｎａｒｙＭｏｄｅをＶＴＲ用リモートコントローラ４に出力する。ステップＳ１５０では、ＶＴＲ用リモートコントローラ４はＩｍａｇｉｎａｒｙＭｏｄｅ（再生）をステータスとして受信し、記録装置２のモードが再生になったと認識する。ステップＳ１６０では、ＶＴＲ用リモートコントローラ４はタイムコードセンスを発行する。ステップＳ１７０では、Ｓｔａｔｕｓコマンド応答部２６はＩｍａｇｉｎａｒｙＴＴＣ生成部２８からＩｍａｇｉｎａｒｙＴＴＣを受け、ＶＴＲ用リモートコントローラ４に出力する。ステップＳ１８０では、ＶＴＲ用リモートコントローラ４は記録装置２がＩＮ点に近づきつつあると認識する。
【００３６】
次に、ステップＳ１９０では、ＶＴＲ用リモートコントローラ４はスティルコマンドを発行する。ステップＳ２００では、スティルコマンドが制御系処理部２２を介してコントロールコマンド解析部２３に入力されて解析され、ＩｍａｇｉｎａｒｙＭｏｄｅ生成部２４でＩｍａｇｉｎａｒｙＭｏｄｅがスティルと設定される。このＩｍａｇｉｎａｒｙＭｏｄｅがＩｍａｇｉｎａｒｙＭｏｄｅ生成部２４からＩｍａｇｉｎａｒｙＴＴＣ生成部２８、ＩｍａｇｉｎａｒｙＡＴＮ生成部２９等に入力され、ＩｍａｇｉｎａｒｙＴＴＣとＩｍａｇｉｎａｒｙＡＴＮが歩進を停止する。
【００３７】
次に、ステップＳ２１０では、ＶＴＲ用リモートコントローラ４はコマ送りコマンドを発行する。ステップＳ２２０では、コマ送りコマンドは制御系処理部２２を介してコントロールコマンド解析部２３に入力されて解析され、ＩｍａｇｉｎａｒｙＭｏｄｅ生成部２４でＩｍａｇｉｎａｒｙＭｏｄｅがコマ送りと設定される。このＩｍａｇｉｎａｒｙＭｏｄｅがＩｍａｇｉｎａｒｙＴＴＣ生成部２８、ＩｍａｇｉｎａｒｙＡＴＮ生成部２９等に入力され、ＩｍａｇｉｎａｒｙＴＴＣとＩｍａｇｉｎａｒｙＡＴＮが１フレーム分歩進する。
【００３８】
次に、ステップＳ２３０では、ＶＴＲ用リモートコントローラ４はタイムコードセンスを発行する。ステップ２４０では、Ｓｔａｔｕｓコマンド応答部２６はＩｍａｇｉｎａｒｙＴＴＣ生成部２８からＩｍａｇｉｎａｒｙＴＴＣを受け、ＶＴＲ用リモートコントローラ４に出力する。そして、ステップＳ２５０では、ＶＴＲ用リモートコントローラ４は記録装置２がＩＮ点に達したと認識する。以上のキューアップ動作がなされている間はＤＶＤレコーダ３５に対しては動作命令が発行されてなく、ＤＶＤレコーダ３５は停止したままである。しかし、ＶＴＲ用リモートコントローラ４はキューアップ動作を行う仮想ＶＴＲがＩＮ点に達したと認識し、次の動作を行う。
【００３９】
ステップＳ２６０では、ＶＴＲ用リモートコントローラ４は接続機器制御部２から記録（ＲＥＣ）コマンド発行する。ステップＳ２７０では、記録コマンドが制御系処理部２２を介してコントロールコマンド解析部２３に入力されて解析され、ＩｍａｇｉｎａｒｙＭｏｄｅ生成部２４でＩｍａｇｉｎａｒｙＭｏｄｅが記録と設定される。このＩｍａｇｉｎａｒｙＭｏｄｅがＩｍａｇｉｎａｒｙＭｏｄｅ生成部２４からＲｅａｌＭｏｄｅ判別部２５、ＩｍａｇｉｎａｒｙＴＴＣ生成部２８、ＩｍａｇｉｎａｒｙＡＴＮ生成部２９等に入力され、ＩｍａｇｉｎａｒｙＴＴＣとＩｍａｇｉｎａｒｙＡＴＮが歩進をする。
【００４０】
次に、ステップＳ２８０では、ＲｅａｌＭｏｄｅ判別部２５は、ＩｍａｇｉｎａｒｙＭｏｄｅ生成部２４から入力されるＩｍａｇｉｎａｒｙＭｏｄｅが記録であるのでＤＶＤレコーダ３５に対して記録スタートを発行する。ステップＳ２９０では、ＶＴＲ１から入力されたＤＶ圧縮されたストリームデータ信号は一般的なＲＥＣ６５６信号に変換されてＤＶＤレコーダ３５に出力され、ＤＶＤレコーダ３５は記録をスタートする。それと共に、ステータスが記録になる。
【００４１】
次に、ステップＳ３００では、ＭｏｄｅＳｔａｔｕｓ生成部２７は、ＤＶＤレコーダ３５のステータスが記録系なのでＤＶＤレコーダ３５からのステータスをＶＴＲ用リモートコントローラ４からの問い合わせに対するステータスとして採用してＳｔａｔｕｓコマンド応答部２６に出力する。ステップＳ３１０では、ＶＴＲ用リモートコントローラ４は接続機器制御部２からステータスセンスを発行する。そして、ステップＳ３２０では、Ｓｔａｔｕｓコマンド応答部２６は、ＤＶＤレコーダ３５からのステータス（記録）をステータスとしてＶＴＲ用リモートコントローラ４に出力する。そして、ステップＳ３３０では、ＶＴＲ用リモートコントローラ４は記録装置２のモードが記録になったと認識する。
【００４２】
次に、ステップＳ３４０では、ＶＴＲ用リモートコントローラ４はコピーしているコンテンツのＯＵＴ点になるとＳＴＯＰコマンドを発行する。ステップＳ３５０では、ＳＴＯＰコマンドが制御系処理部２２を介してコントロールコマンド解析部２３に入力されて解析され、ＩｍａｇｉｎａｒｙＭｏｄｅ生成部２４でＩｍａｇｉｎａｒｙＭｏｄｅがＳＴＯＰと設定される。このＩｍａｇｉｎａｒｙＭｏｄｅがＩｍａｇｉｎａｒｙＭｏｄｅ生成部２４からＩｍａｇｉｎａｒｙＴＴＣ生成部２８、ＩｍａｇｉｎａｒｙＡＴＮ生成部２９等に入力され、ＩｍａｇｉｎａｒｙＴＴＣとＩｍａｇｉｎａｒｙＡＴＮが歩進を停止する。
【００４３】
次に、ステップＳ３６０では、ＲｅａｌＭｏｄｅ判別部２５は、ＩｍａｇｉｎａｒｙＭｏｄｅ生成部２４から入力されるＩｍａｇｉｎａｒｙＭｏｄｅがＳＴＯＰであるのでＤＶＤレコーダ３５に対して停止を発行する。そして、ステップＳ３７０では、ＤＶＤレコーダ３５は記録を停止すると共に、ステータスが停止になる。
【００４４】
次に、ステップＳ３８０では、ＭｏｄｅＳｔａｔｕｓ生成部２７は、ＤＶＤレコーダ３５のステータスが記録系なのでＤＶＤレコーダ３５からのステータスをＶＴＲ用リモートコントローラ４からの問い合わせに対するステータスとして採用してＳｔａｔｕｓコマンド応答部２６に出力する。ステップＳ３９０では、ＶＴＲ用リモートコントローラ４はステータスセンスを発行する。ステップＳ４００では、Ｓｔａｔｕｓコマンド応答部２６は、ＤＶＤレコーダ３５からのステータス（停止）をステータスとしてＶＴＲ用リモートコントローラ４に出力する。そして、ステップＳ４１０では、ＶＴＲ用リモートコントローラ４は記録装置２のモードが停止になったと認識する。
【００４５】
以上のように本実施の形態の記録装置は、ＩｍａｇｉｎａｒｙＭｏｄｅ生成部２４と、ＩｍａｇｉｎａｒｙＴＴＣ生成部２８と、ＩｍａｇｉｎａｒｙＡＴＮ生成部２９とを備え、ＩｍａｇｉｎａｒｙＴＴＣ、ＩｍａｇｉｎａｒｙＡＴＮはＶＴＲ用リモートコントローラ４から送られたＤＶ用のＡＶ／Ｃコマンドで送られた速度にあわせて歩進し、ＶＴＲ用リモートコントローラ４からのステータスセンス、タイムコード問い合わせ、トラックナンバー問い合わせに対し、記録装置２はそれぞれＩｍａｇｉｎａｒｙＭｏｄｅ、ＩｍａｇｉｎａｒｙＴＴＣ、ＩｍａｇｉｎａｒｙＡＴＮを回答し、ＡＶ／Ｃコマンドで送られたモードが記録系か再生系かによって、記録系のときはＶＴＲ１から送られたストリームデータを入力し、ＶＴＲ１はあたかもＤＶ機器が接続されて動作していると錯覚し、仮想のキューアップ動作等を行い、仮想ＶＴＲへのコピー準備が完了したものと認識し、通常のコピー動作を行うものである。
【００４６】
なお、本実施の形態ではＤＶＤレコーダを用いて説明したが、本発明の主旨はタイムコードの概念がないランダムアクセス記録可能な他のストレージデバイスへの応用が可能である。
また、ＶＴＲ用リモートコントローラ４はＲＳ４２２やＲＳ２３２Ｃに規定される信号をインタフェースとして用いる制御方法について述べた。同様にしてＶＴＲ用リモートコントローラとしてＤＶに用いられるＤＶインタフェースを用いて上述の制御を行うこともできる。
さらに、ＩｍａｇｉｎａｒｙＡＴＮを仮想トラックナンバーとして説明した。トラックナンバーにはテープ上のトラックが絶対的に決められる絶対トラックナンバーと、テープ挿入時からの一連番号が決められる相対トラックナンバーとがある。仮想トラックナンバーは仮想的なトラックナンバーであり、そのナンバーが絶対的なもの、及び相対的なものの両者に対して適応されるナンバーである。
【００４７】
以上のように、本実施例で示した記録装置によれば、コントロールコマンドを受信して解析するコントロールコマンド解析手段（２３）と、前記コントロールコマンド解析手段における解析結果に基づいてキューアップモードを生成するモード手段（２７）と、前記キューアップモードに対応する仮想タイムコードを生成するタイムコードジェネレータ手段（２８）と、前記キューアップモードに対応する仮想トラックナンバーを生成するトラックナンバージェネレータ手段（２９）と、ステータスセンスコマンドに応答してキューアップモード、前記仮想タイムコード及び前記仮想トラックナンバーを出力するステータスコマンド応答手段（２６）とを備える制御回路（２１）を用いるようにしているので、記録装置（２）に対してＶＴＲ（１）の制御機能を有するＶＴＲ用リモートコントローラ（４）からの制御により、簡単な操作で安定動作、高速処理、高品質な仕上がりで、ＶＴＲに記録されるコンテンツを容易に光ディスクに記録することができる装置を実現できる。
【産業上の利用可能性】
【００４８】
ＶＴＲに記録され、タイムコードで管理される映像や音声データを、ＤＶＤなどのアドレスで管理される記録メディアに記録する記録装置に適用できる。
【図面の簡単な説明】
【００４９】
【図１】本発明の実施に係る記録装置、ＶＴＲ及びリモートコントローラの接続図である。
【図２】本発明の実施に係る記録装置の要部の構成例を示すブロック図である。
【図３】ＲｅａｌＭｏｄｅ判別部の処理を示す図である。
【図４】ＩｍａｇｉｎａｒｙＴＴＣ生成部の処理を示す図である。
【図５】ＩｍａｇｉｎａｒｙＡＴＮ生成部の処理を示す図である。
【図６】ＶＴＲエミュレーションの動作を行うコマンドシーケンスの一例を示す図（その１）である。
【図７】ＶＴＲエミュレーションの動作を行うコマンドシーケンスの一例を示す図（その２）である。
【図８】ＶＴＲエミュレーションの動作を行うコマンドシーケンスの一例を示す図（その３）である。
【符号の説明】
【００５０】
１    ＶＴＲ
２    記録装置
４    ＶＴＲ用リモートコントローラ
２１    制御回路
２２    制御系処理部
２３    コントロールコマンド解析部
２４    ＩｍａｇｉｎａｒｙＭｏｄｅ生成部
２５    ＲｅａｌＭｏｄｅ判別部
２６    Ｓｔａｔｕｓコマンド応答部
２７    ＭｏｄｅＳｔａｔｕｓ生成部
２８    ＩｍａｇｉｎａｒｙＴＴＣ生成部
２９    ＩｍａｇｉｎａｒｙＡＴＮ生成部
３５    ＤＶＤレコーダ
【図１】
2006351143.tif 000003
【図２】
2006351143.tif 000004
【図３】
2006351143.tif 000005
【図４】
2006351143.tif 000006
【図５】
2006351143.tif 000007
【図６】
2006351143.tif 000008
【図７】
2006351143.tif 000009
【図８】
2006351143.tif 000010